(57)【要約】高輝度場における液晶ディスプレイ応答変動の補償のための方法であって、ある領域についての初期の液晶ディスプレイ符号値の集合をもつ画像信号を受領する段階と；前記画像信号の前記領域についての個々のバックライト・パワー・レベルを推定する段階と；前記領域の前記個々のバックライト・パワー・レベルに基づいて、組み合わされたバックライト・パワー・レベルを決定する段階と；前記領域の前記組み合わされたバックライト・パワー・レベルに基づいて透過率の少なくとも一つの変化を決定する段階と；決定された透過率の前記少なくとも一つの変化に基づいて初期の液晶ディスプレイ符号値の前記集合を補正する段階とを含む、方法。
2019520601.tif 000002
【特許請求の範囲】
【請求項１】
LCD変調器およびバックライトを有するディスプレイにおいて該LCD変調器を制御する方法であって、当該方法は：
前記LCD変調器の少なくとも一部の透過レベルを設定するためにLCD符号値を有する画像信号を受領する段階であって、受領されるLCD符号値は前記LCD変調器の前記少なくとも一部の第一の応答曲線上での目標透過レベルに対応し、前記第一の応答曲線は、前記バックライトの少なくとも一部によって該バックライトの基準出力レベルで照明されたときの前記LCD変調器の前記少なくとも一部について、LCD符号値の関数として透過レベルを与えるものである、段階と；
前記バックライトの前記少なくとも一部の出力レベル値を取得する段階と；
受領されたLCD符号値および取得された出力レベル値の関数として、適応されたLCD符号値を決定する段階であって、前記適応されたLCD符号値は、前記LCD変調器の前記少なくとも一部の第二の応答曲線上での前記目標透過レベルに対応し、前記第二の応答曲線は、前記バックライトの前記少なくとも一部によって前記取得された出力レベルで照明されたときの前記LCD変調器の前記少なくとも一部について、LCD符号値の関数として透過レベルを与えるものである、段階と；
前記適応されたLCD符号値に従って、前記LCD変調器の前記少なくとも一部の透過レベルを設定する段階とを含む、
方法。
【請求項２】
前記適応されたLCD符号値は、前記バックライトの前記少なくとも一部の前記取得された出力レベルの単調減少関数として決定される、請求項１記載の方法。
【請求項３】
前記適応されたLCD符号値は、前記バックライトの前記少なくとも一部の前記取得された出力レベルの単調増加関数として決定される、請求項１記載の方法。
【請求項４】
前記バックライトの前記少なくとも一部の前記取得された出力レベル値は、前記バックライトの前記少なくとも一部の推定されたパワー・レベルを表わす、請求項１ないし３のうちいずれか一項記載の方法。
【請求項５】
前記適応されたLCD符号値を決定することが、少なくとも部分的には多項式に基づく、請求項１ないし４のうちいずれか一項記載の方法。
【請求項６】
前記適応されたLCD符号値を決定することが、少なくとも部分的にはルックアップテーブルに基づく、請求項１ないし５のうちいずれか一項記載の方法。
【請求項７】
コンピュータ装置またはシステムによって実行されたときに該コンピュータ装置またはシステムに請求項１ないし６のうちいずれか一項記載の方法をｐ実行させる命令を有するコンピュータ・プログラム・プロダクト。
【請求項８】
LCD変調器およびバックライトを有するディスプレイのための制御ハードウェアであって、当該制御ハードウェアは：
前記LCD変調器の少なくとも一部の透過レベルを設定するためにLCD符号値を有する画像信号を受領する段階であって、受領されるLCD符号値は前記LCD変調器の前記少なくとも一部の第一の応答曲線上での目標透過レベルに対応し、前記第一の応答曲線は、前記バックライトの少なくとも一部によって該バックライトの基準出力レベルで照明されたときの前記LCD変調器の前記少なくとも一部について、LCD符号値の関数として透過レベルを与えるものである、段階と；
前記バックライトの前記少なくとも一部の出力レベル値を取得する段階と；
受領されたLCD符号値および取得された出力レベル値の関数として、適応されたLCD符号値を決定する段階であって、前記適応されたLCD符号値は、前記LCD変調器の前記少なくとも一部の第二の応答曲線上での前記目標透過レベルに対応し、前記第二の応答曲線は、前記バックライトの前記少なくとも一部によって前記取得された出力レベルで照明されたときの前記LCD変調器の前記少なくとも一部について、LCD符号値の関数として透過レベルを与えるものである、段階と；
前記適応されたLCD符号値に従って、前記LCD変調器の前記少なくとも一部の透過レベルを設定する段階とを実行するよう構成されている、
制御ハードウェア。
【請求項９】
前記適応されたLCD符号値は、前記バックライトの前記少なくとも一部の前記取得された出力レベルの単調減少関数として決定される、請求項８記載の制御ハードウェア。
【請求項１０】
前記適応されたLCD符号値は、前記バックライトの前記少なくとも一部の前記取得された出力レベルの単調増加関数として決定される、請求項８記載の制御ハードウェア。
【請求項１１】
前記バックライトの前記少なくとも一部の前記取得された出力レベル値は、前記バックライトの前記少なくとも一部の推定されたパワー・レベルを表わす、請求項８ないし１０のうちいずれか一項記載の制御ハードウェア。
【請求項１２】
前記適応されたLCD符号値を決定することが、少なくとも部分的には多項式に基づく、請求項８ないし１１のうちいずれか一項記載の制御ハードウェア。
【請求項１３】
前記適応されたLCD符号値を決定することが、少なくとも部分的にはルックアップテーブルに基づく、請求項８ないし１２のうちいずれか一項記載の制御ハードウェア。
【請求項１４】
LCD変調器と、バックライトと、請求項８ないし１３のうちいずれか一項記載の制御ハードウェアとを有するディスプレイ。
【発明の詳細な説明】
【技術分野】
【０００１】
関連出願への相互参照
本願は、いずれも2016年6月21日に出願された米国仮出願第62/352,677号および欧州特許出願第16175498.1号の利益および優先権を主張するものである。これらの出願の開示はここに参照によってその全体において組み込まれる。
【０００２】
技術
本開示は概括的には液晶ディスプレイ（LCD）に関する。より詳細には、本開示の実施形態は液晶ディスプレイのガンマ補正に関する。
【図面の簡単な説明】
【０００３】
本開示の実施形態が付属の図面の図において限定ではなく例として示される。図面において、同様の参照符号は同様の要素を指す。
【０００４】
【図１】本開示のある実施形態に基づく第一の例示的システムを描く図である。
【０００５】
【図２】本開示のある実施形態に基づく発光ダイオード液晶ディスプレイ（LCD）を描く図である。
【０００６】
【図３Ａ】本開示のある実施形態に基づく１型LCDの赤色出力を描く図である。
【図３Ｂ】本開示のある実施形態に基づく１型LCDの赤色出力を描く図である。
【０００７】
【図４Ａ】本開示のある実施形態に基づく１型LCDの緑色出力を描く図である。
【図４Ｂ】本開示のある実施形態に基づく１型LCDの緑色出力を描く図である。
【０００８】
【図５Ａ】本開示のある実施形態に基づく１型LCDの青色出力を描く図である。
【図５Ｂ】本開示のある実施形態に基づく１型LCDの青色出力を描く図である。
【０００９】
【図６Ａ】本開示のある実施形態に基づく２型LCDの赤色出力を描く図である。
【図６Ｂ】本開示のある実施形態に基づく２型LCDの赤色出力を描く図である。
【００１０】
【図７Ａ】本開示のある実施形態に基づく２型LCDの緑色出力を描く図である。
【図７Ｂ】本開示のある実施形態に基づく２型LCDの緑色出力を描く図である。
【００１１】
【図８Ａ】本開示のある実施形態に基づく２型LCDの青色出力を描く図である。
【図８Ｂ】本開示のある実施形態に基づく２型LCDの青色出力を描く図である。
【００１２】
【図９Ａ】本開示のある実施形態に基づく１型LCDの差分透過率を描く図である。
【図９Ｂ】本開示のある実施形態に基づく１型LCDの差分透過率を描く図である。
【図９Ｃ】本開示のある実施形態に基づく１型LCDの差分透過率を描く図である。
【００１３】
【図１０Ａ】本開示のある実施形態に基づく２型LCDの差分透過率を描く図である。
【図１０Ｂ】本開示のある実施形態に基づく２型LCDの差分透過率を描く図である。
【図１０Ｃ】本開示のある実施形態に基づく２型LCDの差分透過率を描く図である。
【００１４】
【図１１】本開示のある実施形態に基づく１型LCDの包絡関数およびパワー関数を描く図である。
【００１５】
【図１２】本開示のある実施形態に基づく２型LCDの包絡関数およびパワー関数を描く図である。
【００１６】
【図１３Ａ】本開示のある実施形態に基づく１型LCDのモデリング結果を描く図である。
【図１３Ｂ】本開示のある実施形態に基づく１型LCDのモデリング結果を描く図である。
【図１３Ｃ】本開示のある実施形態に基づく１型LCDのモデリング結果を描く図である。
【００１７】
【図１４Ａ】本開示のある実施形態に基づく２型LCDのモデリング結果を描く図である。
【図１４Ｂ】本開示のある実施形態に基づく２型LCDのモデリング結果を描く図である。
【図１４Ｃ】本開示のある実施形態に基づく２型LCDのモデリング結果を描く図である。
【００１８】
【図１５】本開示のある実施形態に基づく１型LCDのL0およびL1についての例示的な補償関数形を描く図である。
【００１９】
【図１６】本開示のある実施形態に基づく２型LCDのL0およびL1についての例示的な補償アルゴリズムの関数形を描く図である。
【００２０】
【図１７】本開示のある実施形態に基づく１型から２型LCDのL0およびL1エミュレーション関数を描く図である。
【００２１】
【図１８】本開示のある実施形態に基づく２型から１型LCDのL0およびL1エミュレーション関数を描く図である。
【００２２】
【図１９】本開示のある実施形態に基づくLCDガンマを補償する第一の方法を描く図である。
【００２３】
【図２０】本開示のある実施形態に基づくLCDガンマを補償する第二の方法を描く図である。
【００２４】
【図２１】本開示のある実施形態に基づくLCDガンマを補償する第三の方法を描く図である。
【００２５】
【図２２】本開示のある実施形態に基づく第二のシステムを描く図である。
【００２６】
【図２３】本開示のある実施形態に基づく第三のシステムを描く図である。
【発明を実施するための形態】
【００２７】
〈概要〉
本開示の第一の側面では、高輝度場における液晶ディスプレイ応答変動の補償のための方法であって、ある領域についての初期の液晶ディスプレイ符号値の集合をもつ画像信号を受領する段階と、前記画像信号の前記領域についての個々のバックライト・パワー・レベルを推定する段階と、前記領域の前記個々のバックライト・パワー・レベルに基づいて、組み合わされたバックライト・パワー・レベルを決定する段階と、前記領域の前記組み合わされたバックライト・パワー・レベルに基づいて透過率の少なくとも一つの変化を決定する段階と、決定された透過率の前記少なくとも一つの変化に基づいて初期の液晶ディスプレイ符号値の前記集合を補正する段階とを含む、方法。
【００２８】
本開示の第二の側面では、高輝度場における液晶ディスプレイ応答変動の補償のための方法であって、ある領域についての初期の液晶ディスプレイ符号値の集合をもつ画像信号を受領する段階と、前記領域についての個々のバックライト・パワー・レベルを推定する段階と、前記領域の前記個々のバックライト・パワー・レベルに基づいて、組み合わされたバックライト・パワー・レベルを決定する段階と、前記領域の前記組み合わされたバックライト・パワー・レベルおよび基準パワーに基づいて透過率の少なくとも一つのデルタ変化を決定する段階と、決定された透過率の前記少なくとも一つのデルタ変化に基づいて初期の液晶ディスプレイ符号値の前記集合を補正する段階とを含む、方法。
【００２９】
本開示の第三の側面では、高輝度場における液晶ディスプレイ応答変動の補償のための方法であって、画像信号を受領する段階と、前記画像信号のある領域についての複数の色を推定する段階と、前記領域についての複数のバックライト・パワー・レベルを推定する段階と、前記複数の色および前記複数のバックライト・パワー・レベルについて透過率を測定する段階と、測定された透過率をモデリングする段階とを含む、方法。
【００３０】
本開示の第四の側面では、高輝度場における液晶ディスプレイ応答変動を補償する装置であって、前記液晶ディスプレイのローカルなバックライト・アレイに結合された光パワー測定デバイスと、前記光パワー測定デバイスおよび前記液晶ディスプレイに結合された補償モジュールとを有しており、前記補償モジュールは、測定された光パワーに基づいて初期の液晶ディスプレイ符号値の集合を調整する、装置。
【００３１】
本開示の第五の側面では、高輝度場における液晶ディスプレイ応答変動を補償する装置であって、前記液晶ディスプレイのローカルなバックライト・アレイに結合された反射光パワー測定デバイスと、前記反射光パワー測定デバイスおよび前記液晶ディスプレイに結合された補償モジュールとを有しており、前記補償モジュールは、反射された光パワーに基づいて初期の液晶ディスプレイ符号値の集合を変調する、装置。
【００３２】
本開示の第五の側面では、LCD変調器およびバックライトを有するディスプレイにおいて該LCD変調器を制御する方法。本方法は、前記LCD変調器の少なくとも一部の透過レベルを設定するためにLCD符号値を有する画像信号を受領する段階を含み、受領されるLCD符号値は前記LCD変調器の前記少なくとも一部の第一の応答曲線上での目標透過レベルに対応し、前記第一の応答曲線は、前記バックライトの少なくとも一部によって該バックライトの基準出力レベルで照明されたときの前記LCD変調器の前記少なくとも一部について、LCD符号値の関数として透過レベルを与える。本方法はさらに、前記バックライトの前記少なくとも一部の出力レベル値を取得することを含む。本方法はさらに、受領されたLCD符号値および取得された出力レベル値の関数として、適応されたLCD符号値を決定することを含む。前記適応されたLCD符号値は、前記LCD変調器の前記少なくとも一部の第二の応答曲線上での前記目標透過レベルに対応し、前記第二の応答曲線は、前記バックライトの前記少なくとも一部によって前記取得された出力レベルで照明されたときの前記LCD変調器の前記少なくとも一部について、LCD符号値の関数として透過レベルを与える。本方法はさらに、前記適応されたLCD符号値に従って、前記LCD変調器の前記少なくとも一部の透過レベルを設定することを含む。
【００３３】
バックライト、たとえばLEDパネルは、一緒になって全発光エリアを形成する複数の発光領域から構成される発光エリアを有していてもよい。その場合、「前記バックライトの少なくとも一部」は、中でも、前記発光領域のうちの一つ、前記発光領域のうち隣り合う複数のもの、あるいは発光エリア全体を指しうる。
【００３４】
LCD変調器は、一緒になって全透過エリアを形成する複数の透過領域から構成される透過エリアを有していてもよい。その場合、「前記LCD変調器の少なくとも一部」は、中でも、前記透過領域のうちの一つ、前記透過領域のうち隣り合う複数のもの、あるいは透過エリア全体を指しうる。LCD変調器の透過領域は、それぞれ、前記バックライトの発光領域のうちの一つまたは複数の発光領域の前に位置されてもよい。
【００３５】
第一および第二の応答（またはガンマ）曲線は、たとえば実験を通じて、あらかじめ決定されていてもよい。第一および第二の応答曲線は、複数の異なるバックライト・レベルについてのそれぞれの応答曲線（それらはLCD変調器の特性曲線である）を含む集合に属していてもよい。前記複数の異なるバックライト・レベルは、すべての可能なバックライト・レベルを含んでいてもよく、あるいはすべての可能なバックライト・レベルのうちの代表的なサンプル（あるいは他の何らかの好適な部分集合）だけを含んでいてもよい。
【００３６】
いくつかの実施形態では、適応されたLCD符号値は、前記バックライトの前記少なくとも一部の前記取得された出力レベルの単調減少関数として決定される。いくつかのLCD変調器では、透過率はバックライト出力レベルとともに増大する。よって、そのようなLCD変調器の制御においては、適応されたLCD符号値はバックライト出力レベルとともに単調減少する。たとえば、同じ受領されるLCD符号値について、バックライト出力レベルの低下の結果、前記適応されたLCD符号値が同じであるまたはより低くなる。
【００３７】
いくつかの実施形態では、適応されたLCD符号値は、前記バックライトの前記少なくとも一部の前記取得された出力レベルの単調増加関数として決定される。いくつかのLCD変調器では、透過率はバックライト出力レベルとともに減少する。よって、そのようなLCD変調器の制御においては、適応されたLCD符号値はバックライト出力レベルとともに単調増加する。たとえば、同じ受領されるLCD符号値について、バックライト出力レベルの増加の結果、前記適応されたLCD符号値が同じであるまたはより高くなる。
【００３８】
いくつかの実施形態では、前記バックライトの前記少なくとも一部の前記取得された出力レベル値は、前記バックライトの前記少なくとも一部の推定されたパワー・レベルを表わす。当業者は、前記バックライトの前記少なくとも一部のパワー・レベルを推定する数多くの好適な方法を認識するであろう。これらの方法は、好適な測定デバイス、たとえばバックライトによって発される直接光または反射光を感知するデバイスを使うことに関わってもよい。
【００３９】
〈例示的実施形態の説明〉
今日使われているディスプレイ・モニターの大半は、薄膜トランジスタ（TFT）ベースの液晶ディスプレイ（LCD）パネルおよび発光バックライトを有する。もともとはバックライトはLCDパネルの真後ろにあって、空気スペースおよび拡散板によって離間された蛍光管の集合であった。発光ダイオード（LED）が蛍光管の代わりとなり、早期の消費者向け実例では、LEDの長方形アレイで構成され、発光場の、より高い空間的一様性を許容するために拡散板と連携していた。この場合、LED駆動レベルは、バックプレーンにおける蛍光管を利用するシステムに見られるものと同様の一様な光場を生成するよう制御された。
【００４０】
LEDベースのLCDモニターと並行して、有機発光ダイオード（OLED）モニターが開発された。それぞれの個別のピクセルを有機LEDが形成し、画面に非常に高いコントラスト比を与える。欠点は、寿命が短く、コストが高いことであった。
【００４１】
LEDベースのLCDディスプレイ製造業者は、バックプレーンにより多くのLEDを追加することによって、ピクセル当たりの光密度をさらに高めた。さらに、ディスプレイ処理パイプラインは、より高い局所的な輝度を生じるために、バックプレーンLEDを個別に制御することを始めた。モニターの単位面積当たりの光密度のこの上昇は、熱ホットスポットという代償を伴った。
【００４２】
液晶材料は温度変化に影響を受けないわけではない。局所的な光エネルギー強度におけるこの上昇は、局所的な温度の上昇をもたらし、それはひいては液晶材料の応答の変動につながった。
【００４３】
使用されている基礎になるLCD技術に依存して、いくつかの場合には、応答曲線は、上昇した温度とともに増大したLCD透過率を与え、他の場合には応答曲線は、上昇した温度とともに低下した透過率を与えた。よって、より高い彩度、より高い輝度およびより高いコントラストといった追求されていたまさにその属性が、モニター面を通じた変動するガンマ応答という代償を伴っていたのである。局所化されたエネルギーの増大によって駆動されるこの系統的な変動が、本開示において対処される一つの項目である。LCDベースのモニターからの一様であり予測可能な光出力を保証しつつ、いかにして、より大きな彩度、輝度およびコントラストを保持できるだろうか。
【００４４】
液晶ディスプレイ（LCD）技術の使用は、消費者向けおよび業務用のモニターの分野において今やどこにでもある。LCDを使った最も素直なディスプレイ実装では、一様かつ概して大面積のバックライトが、透過型LCDパネルと連携して使われる。透過型LCDパネルは、そのパネルのアドレッシング可能なピクセル分解能に基づいて画像を変調する。
【００４５】
より洗練された実例も見られ、LCDピクセルと相補的な仕方でそれ自身が空間的に変調されうる発光バックプレーンを利用する。デュアル変調として知られるこの方法は、より高いレベルの局所的なコントラストを与えることができ、四つ以上の個別ゾーンをもちうる消費者テレビジョンから1500〜6000のゾーンをもつ業務用製品までに見られる。場合によっては、この方法を使って、20000:1を超えるコントラスト比が達成されうる。
【００４６】
液晶材料のスイッチング応答時間は温度に依存し、そのことは駆動レベルに対する透過応答に直接の影響をもつ。LCDシステムは根本的には、周期的な時間的信号を使って駆動され、上昇および下降時間の変化は透過される光の量に影響し、これはシステムの有効ガンマ挙動を変える。高ダイナミックレンジのデュアル変調ディスプレイ・システムについては、LCDパネルは、バックプレーンからのずっと高い光強度を受ける。
【００４７】
光の多く、94%程度はLCDによって吸収されるので、これは、パネル自身での局所的な温度の有意な上昇につながりうる。かかる上昇は、バックプレーンからの光場における局所的な変動に相関しうる。上昇した周囲温度によって引き起こされるパネル・ガンマに対するグローバルな変化に加えて、バックプレーン・イメージにおけるホットスポットによって誘起されるガンマの局所的な変化もありうる。
【００４８】
図１は、図１９〜図２１の実施形態を実装するための目標制御ハードウェア（１０）（たとえばコンピュータ・システム）のある例示的実施形態である。この目標制御ハードウェアは、プロセッサ（１５）、メモリ・バンク（２０）、ローカル・インターフェース・バス（３５）および一つまたは複数の入出力装置（４０）を有する。プロセッサは、図１９〜図２１の実装に関係した一つまたは複数の命令を実行してもよい。これは、メモリ（２０）に記憶された何らかの実行可能なプログラム（３０）に基づいて、オペレーティング・システム（２５）によって提供される。これらの命令は、ローカル・インターフェース（３５）を介して、該ローカル・インターフェースおよびプロセッサ（１５）に固有の何らかのデータ・インターフェース・プロトコルによって指定されるように、プロセッサ（１５）に搬送される。ローカル・インターフェース（３５）は、コントローラ、バッファ（キャッシュ）、ドライバ、リピーターおよびレシーバーといった、概してプロセッサ・ベースのシステムの複数の要素の間でアドレス、制御および／またはデータ接続を提供することに向けられたいくつかの要素の記号的な表現である。いくつかの実施形態では、プロセッサ（１５）は、いくつかのローカル・メモリ（キャッシュ）を備えていてもよく、いくらかの上乗せされる実行速度のために、実行されるべき命令の一部をそこに記憶してもよい。プロセッサによる命令の実行は、ハードディスクに記憶されたファイルからデータを入力する、キーボードからコマンドを入力する、タッチスクリーンからデータおよび／またはコマンドを入力する、データをディスプレイに出力するまたはデータをユニバーサルシリアルバス（USB）フラッシュドライブに出力するなど、何らかの入出力装置（４０）の使用を必要とすることがある。いくつかの実施形態では、オペレーティング・システム（２５）が、プログラムの実行のために必要とされるさまざまなデータおよび命令を集めてこれらをマイクロプロセッサに提供するための中心要素であることによって、これらのタスクを容易にする。いくつかの実施形態では、オペレーティング・システムは存在しなくてもよく、タスクは、プロセッサ（１５）の直接制御下にある。ただし、目標制御ハードウェア装置（１０）の基本的なアーキテクチャーは図１に描かれているのと同じままであってもよい。いくつかの実施形態では、上乗せされた実行速度のために、複数のプロセッサが並列構成で使われてもよい。そのような場合、実行可能なプログラムは並列実行のために特に調整されてもよい。また、いくつかの実施形態では、プロセッサ（１５）は図１１の実装の一部を実行するのでもよく、他の何らかの部分は、ローカル・インターフェース（３５）を介して目標制御ハードウェア（１０）によってアクセス可能な入出力位置に配置された専用のハードウェア／ファームウェアを使って実装されてもよい。目標制御ハードウェア（１０）は、複数の実行可能なプログラム（３０）を含んでいてもよく、それらは独立して、あるいは互いと組み合わせて実行されうる。
【００４９】
温度ベースの補正の分野では、従来の実装は主として、ある範囲の温度を通じて制御可能なコントラストまたはガンマを生じるためのLCDシステムの補償に向けられていた。これらは典型的には、LCD近くでの温度プローブの利用を伴うもので、結果として得られる測定値が、LCD駆動回路のバイス電圧を調整するために使われる。これらの方法は性質上、グローバルであり、バックライト変調に起因する温度の空間的な変動に対応するものではない。
【００５０】
本開示では、LCD応答に対する空間的に局所的な調整を達成するための効率的な方法が記述される。それは特にデュアル変調システムのために有用であり、バックプレーン光エネルギーにおける空間変動が意図的に導入される。本稿は、目標透過率を達成するためにディスプレイに送られるLCD符号値に対する調整を詳述するが、本方法は、バイアス電圧への空間依存の調整にも適用されうる。
【００５１】
本開示では、二つのディスプレイ構成、１型LCDパネルおよび２型LCDパネルが描出される。それらの構成は類似点があるが、高強度照明への異なる応答をも示す。本開示が取り組みたいのは、高強度照明応答におけるこうした相違である。
【００５２】
例として、１型パネルの場合を考える。規格化された10ビット符号化空間におけるLCDコードに対するLCD透過率は、図３〜図５に示されるように、異なるLEDバックライト強度について一連のガンマ曲線を生じる。見て取れるように、この特定のパネル・モデルについて、有効ガンマは、LEDバックプレーン駆動レベルの上昇とともに低下する。LCD透過率の測定は、比色計、あるいは分光放射計のような他の任意の光測定デバイスを利用して実行されうる。
【００５３】
種々のLED駆動レベルについての１型LCDパネルのガンマ曲線は、LED駆動レベルの上昇とともに有効ガンマの低下を示す。図３は、LCDコードに対する赤チャネルLCD応答およびR  LCD応答の拡大図を示しており、異なるLED駆動レベルについての変化を示している。図４は、LCDコードに対する緑チャネルLCD応答を示しており、G  LCD応答の拡大図は異なるLED駆動レベルについての変化を示している。図５は、LCDコードに対する青チャネルLCD応答を示しており、B  LCD応答の拡大図は異なるLED駆動レベルについての変化を示している。
図３は１型モニター、赤についてであり、127の入力のWLEDは３１２、255の入力のWLEDは３１４、511の入力のWLEDは３１６、1023の入力のWLEDは３１８、2047の入力のWLEDは３２０、4095の入力のWLEDは３２２である。
図４は１型モニター、緑についてであり、127の入力のWLEDは４１２、255の入力のWLEDは４１４、511の入力のWLEDは４１６、1023の入力のWLEDは４１８、2047の入力のWLEDは４２０、4095の入力のWLEDは４２２である。
図５は１型モニター、青についてであり、127の入力のWLEDは５１２、255の入力のWLEDは５１４、511の入力のWLEDは５１６、1023の入力のWLEDは５１８、2047の入力のWLEDは５２０、4095の入力のWLEDは５２２である。
【００５４】
種々のLED駆動レベルについての２型LCDパネルのガンマ曲線は、LED駆動レベルの上昇とともに有効ガンマの上昇を示す。図６は、LCDコードに対する赤チャネルLCD応答およびR  LCD応答の拡大図を示しており、異なるLED駆動レベルについての変化を示している。図７は、LCDコードに対する緑チャネルLCD応答およびG  LCD応答の拡大図を示しており、異なるLED駆動レベルについての変化を示している。図８は、LCDコードに対する青チャネルLCD応答を示しており、B  LCD応答の拡大図は異なるLED駆動についての変化を示している。
図６は２型モニター、赤についてであり、127の入力のWLEDは６１２、255の入力のWLEDは６１４、511の入力のWLEDは６１６、1023の入力のWLEDは６１８、2047の入力のWLEDは６２０、4095の入力のWLEDは６２２である。
図７は２型モニター、緑についてであり、127の入力のWLEDは７１２、255の入力のWLEDは７１４、511の入力のWLEDは７１６、1023の入力のWLEDは７１８、2047の入力のWLEDは７２０、4095の入力のWLEDは７２２である。
図８は２型モニター、青についてであり、127の入力のWLEDは８１２、255の入力のWLEDは８１４、511の入力のWLEDは８１６、1023の入力のWLEDは８１８、2047の入力のWLEDは８２０、4095の入力のWLEDは８２２である。
２型LCDパネルの場合、測定は異なる結果を与える。図６〜図８に示されるように、このLCDパネル・モデルについての有効ガンマはLED駆動レベルの上昇とともに増大する。これらのアーチファクトの補正の目的のためには、これらの応答曲線偏差を駆動に対してモデル化すること、特に１型および２型のLCDパネルによって示される挙動を記述するモデルをもつことが有益である。
【００５５】
図３〜図８からのプロットは、種々のバックライト・レベルについてLCDコードに対するLCD応答の差分変化を表わすよう作り直すことができる。ベースライン応答は、最低バックライト・レベルについて測定されたものであり、このドメインでは光によって誘起された熱効果は最小であるとの想定である。次の比が考えられる：
【数１】
2019520601.tif 000003
ここで、
【数２】
2019520601.tif 000004
は、LCD符号〔コード〕ciおよびLEDパワー・ベクトル→s〔→付きのs〕（R,G,BのLEDチャネル）について、チャネルiについての測定された透過率である。Toi(ci)は、最低バックライト駆動レベルについてのLCD応答であり、基準応答であると想定される。
【００５６】
【数３】
2019520601.tif 000005
のプロットが図９〜図１０に示されており、このドメインでは二つのパネルが同様の特性を示すことを示している：
１）諸デバイスの諸チャネルについて、共通の包絡関数が明白であり、その値は端点で1に集束する。
２）差分透過率の絶対値はバックライト駆動レベルに依存することがあり、包絡形状はこの範囲を通じて比較的一定のままである。
３）１型LCDパネルについては、包絡の絶対値はバックライト駆動の増大とともに単調に増大する；２型LCDパネルについては、この包絡の絶対値はバックライト駆動の増大とともに単調に減少する。
【００５７】
これらの観察に基づき、LCD符号ciおよびバックライト・パワー・ベクトル→sの関数としてのLCD応答についての分離可能モデルが構築されうる：
【数４】
2019520601.tif 000006
【００５８】
上式において、piはチャネルiについての強度係数であり、１型LCDパネルについては正、２型LCDパネルについては負である。
【数５】
2019520601.tif 000007
は非線形な「パワー」関数であり、諸チャネルを通じて共通であり、バックライト・パワーに対する透過率の変化を記述する。fi(ci)∈[0,1]はチャネルiについての包絡関数であり、fi(0)＝fi(1)＝0である。
【００５９】
図９は、１型LCDパネルについての種々のLED駆動レベルについての相対的な符号値に対する差分LCD応答である。
【００６０】
図９は１型モニターについてであり、127の入力のWLEDは赤については９２０、緑については９３２、青については９４４であり、255の入力のWLEDは赤については９１８、緑については９３０、青については９４２であり、511の入力のWLEDは赤については９１６、緑については９２８、青については９４０であり、1023の入力のWLEDは赤については９１４、緑については９２６、青については９３８であり、2047の入力のWLEDは赤については９１２、緑については９２４、青については９３６であり、4095の入力のWLEDは赤については９１０、緑については９２２、青については９３４である。
【００６１】
図１０は、２型LCDパネルについての種々のLED駆動レベルについての相対的な符号値に対する差分LCD応答である。
【００６２】
図１０は２型モニターについてであり、127の入力のWLEDは赤については１０２０、緑については１０３２、青については１０４４であり、255の入力のWLEDは赤については１０１８、緑については１０３０、青については１０４２であり、511の入力のWLEDは赤については１０１６、緑については１０２８、青については１０４０であり、1023の入力のWLEDは赤については１０１４、緑については１０２６、青については１０３８であり、2047の入力のWLEDは赤については１０１２、緑については１０２４、青については１０３６であり、4095の入力のWLEDは赤については１０１０、緑については１０２２、青については１０３４である。
【００６３】
１型LCDパネル、図１１および２型LCDパネル、図１２の例について、モデル・パラメータを下記の表にまとめておく。これらのモデル・コンポーネントを使って、図８〜図９からの測定されたデータへの当てはめが１型LCDパネルについては図１１に、２型LCDパネルについては図１２に示されている。これは、一つのモデルを使って、非常に異なる特性をもつ二つのLCDパネル設計の応答を十分に記述しうることを示している。このモデルは、包絡およびパワー関数ならびに強度係数およびバックライト・エネルギー係数を決定するよう特徴付けが実行されるなら、他のLCDパネルをも記述しうる。特徴付けは、パネルごとに必要とされないことがあり、全機器を通じて適用されてもよい。異なるバックライト強度レベルに関して、低強度測定値に対するガンマ応答の偏差を記述するからである。
【００６４】
図１１は、赤１１１２、緑１１１４および青１１１０についての１型包絡関数を描いており、右側で、エネルギー関数のデータは１１１６であり、曲線当てはめは１１１８である。
【００６５】
図１２は、赤１２１２、緑１２１４および青１２１０についての２型包絡関数を描いており、右側で、エネルギー関数のデータは１２１６であり、曲線当てはめは１２１８である。
【００６６】
表１：LCDモデル・パラメータ
【表１】
2019520601.tif 000008
【００６７】
１型LCDパネル、図１３および２型LCDパネル、図１４について、モデル・パラメータが上記の表にまとめられている。これらのモデル・コンポーネントを使って、１型LCDパネル、図９および２型LCDパネル、図１０からの測定されたデータへの当てはめである。
【００６８】
図１３は１型モニターについてであり、127の入力のWLEDは赤については１３２０、緑については１３３２、青については１３４４であり、255の入力のWLEDは赤については１３１８、緑については１３３０、青については１３４２であり、511の入力のWLEDは赤については１３１６、緑については１３２８、青については１３４０であり、1023の入力のWLEDは赤については１３１４、緑については１３２６、青については１３３８であり、2047の入力のWLEDは赤については１３１２、緑については１３２４、青については１３３６であり、4095の入力のWLEDは赤については１３１０、緑については１３２２、青については１３３４である。
【００６９】
図１４は２型モニターについてであり、127の入力のWLEDは赤については１４２０、緑については１４３２、青については１４４４であり、255の入力のWLEDは赤については１４１８、緑については１４３０、青については１４４２であり、511の入力のWLEDは赤については１４１６、緑については１４２８、青については１４４０であり、1023の入力のWLEDは赤については１４１４、緑については１４２６、青については１４３８であり、2047の入力のWLEDは赤については１４１２、緑については１４２４、青については１４３６であり、4095の入力のWLEDは赤については１４１０、緑については１４２２、青については１４３４である。
【００７０】
基本的な構成可能なモデルを備えれば、補正アルゴリズムを構築することが可能となる。この場合、低いバックライト強度レベルで測定されたものToi(ci)を模倣するLCD応答を達成することが求められる。換言すれば、特定のバックライト駆動強度において、LCD符号語は、目標透過率が達成されるようバックライト・パワー・レベルの効果を補償するよう摂動されてもよい。
先に導出された透過率モデル
【数６】
2019520601.tif 000009
が与えられる。
【００７１】
式(3)は、Toi(ci)に等しい透過率を生じうるLCD符号値の変化Δciを見出すよう反転されてもよい。摂動Δciを推定するために、一次のテーラー展開が使われてもよい。
【数７】
2019520601.tif 000010
式(4)は、piq(s)fi(ci)は一般には1よりはるかに小さいとの認識を用いてさらに近似されてもよい。
【数８】
2019520601.tif 000011
【００７２】
L0およびL1は一次および二次の補正関数と記され、多項式関数として、あるいは好ましくは一次元ルックアップテーブル（1D  LUT）として表現されうる。これらの補正関数はLCD相対符号値ciという一つの変数に依存する。
【００７３】
図１５および図１６は、それぞれ１型LCDパネルおよび２型LCDパネルについての補正関数の例を示している。一次補正関数は１型と２型のLCDパネルについて逆の極性を示している。二次補正関数は一般に、L0に比べて絶対値がずっと小さく、相対コード＝0.9近くで相対的な強さが、より大きくなる。
【００７４】
図１５は、１型LCDパネルについて補正関数L0  １５１０およびL1  １５１２を描いている。赤は１５１４および１５２０によって示され、緑は１５１２および１５１８によって示され、青は１５１０および１５１６によって示される。
【００７５】
図１６は、２型LCDパネルについて補正関数L0  １６１０およびL1  １６１２を描いている。赤は１６１２および１６１８によって示され、緑は１６１０および１６２０によって示され、青は１６１４および１６１６によって示される。
【００７６】
前記モデルおよびそのその後の反転を備えれば、今やLCDピクセル・サイトについてのLCD補償のための諸段階を構築することが可能となる。
１）LCDチャネルに対応する三刺激XYZ値のような個々のバックライト駆動に関連する光場シミュレーション（LFS:  light  field  simulation）に基づいてR、G、Bのバックライト光パワー・レベルを推定する。これら三つの和は一つの三刺激セットXYZLFSを生じ、それが相対的なR、G、Bバックライト・パワー・レベルsi∈[0,1]を推定するために使用されてもよい。
【数９】
2019520601.tif 000012
ここで、Nは3×3行列である。
２）バックライト・パワーs＝βRRLED＋βGGLED＋βBBLEDを決定する。ここで、βiはバックライト・エネルギー係数に対応する。
３）通例低次多項式または（実数値の）ローラン級数であるパワー関数q(s)の値を決定する。
４）Tio(cio)を反転させることによって初期のLCD符号値cioを決定する。この段階は、LCD補償なしのデュアル変調パイプラインにおいてすでに実行されていてもよいことを注意しておく。完全性のためここに含めた。
５）cioからL0およびL1の値を決定する。これは、多項式を介して、あるいは好ましくはmビットの1Dルックアップテーブルを使って実行されてもよい。ここで、mは16であってもよい。
６）補正されたLCD符号値：
ci＝cio−qL0＋q2L1        (7)
を決定する。いくつかのLCDパネルについては、一次補正項（L0）だけ利用すれば十分であることがあり、よって全体的な計算量を減らすことを注意しておく。
【００７７】
〈LCDエミュレーション〉
ある種の場合には、特定のLCDモデルの応答の挙動をエミュレートすることが望ましいことがある。たとえば、コンテンツがLCD補償なしの１型LCDパネルを使うモニター上でマスタリングされた場合、コンテンツを、２型LCDパネルを使って構築されたモニター上で視覚的に等価に見えるようにすることが要求されることがある。カラリストおよび他のクリエーターは、どのLCDパネルが使われるかに基づく調整を加えることを望まないことがある。式(7)に記載されたのと同じアルゴリズムを使って、あるLCDパネルに、別のLCDパネルの光場依存の挙動をエミュレートさせることができる。たとえば、２型LCDパネル上で１型LCDパネルの差分応答を模倣することができる。
【００７８】
この場合、目標透過率は、目的装置の透過率であってもよい。符号値補正は次のようになりうる。
【数１０】
2019520601.tif 000013
【００７９】
式(8)および(9)において、上付き添え字「d」は目的（destination）LCDパネルを指す。２型LCDパネルの１型LCDパネル・エミュレーションおよびその逆のエミュレーションのための一次および二次のエミュレーション関数がそれぞれ図１７〜図１８に示されている。この例では、これらの関数の絶対値は図１５〜図１６に示したものより大きい。エミュレーションは、目標LCDである１型LCDパネルの挙動を近似するために、補正を超えた応答をパネル、すなわち２型LCDパネルに引き起こすからである。このように、異なるL0およびL1関数を使うことのほかは、補正について述べたのと同じアルゴリズムを使って目標LCDパネルの特性をエミュレートすることが可能でありうる。
【００８０】
これらのアルゴリズムがあれば、１型および２型の異なるLCDパネル・モデルをもつ二つのモニターを使うときに視覚的な一致を達成することが可能でありうる。アルゴリズム自身、効率的であり、パイプラインについての処理時間に1〜2%の増大を課す。このアルゴリズムは、多様な他のLCDパネルに適用されて同様の結果をもちうることが期待される。
【００８１】
図１７は、２型LCDパネルをエミュレートする１型LCDパネルについてのエミュレーション関数L0  １７１０およびL1  １７１２を示す。赤は１７１４および１７２０によって示され、緑は１７１２および１７１８によって示され、青は１７１０および１７１６によって示される。
【００８２】
図１８は、１型LCDパネルをエミュレートする２型LCDパネルについてのエミュレーション関数L0  １８１０およびL1  １８１２を示す。赤は１８１０および１８２０によって示され、緑は１８１２および１８１８によって示され、青は１８１４および１８１６によって示される。
【００８３】
図１９は、高輝度場における液晶ディスプレイ応答変動の補償のための方法であって、ある領域についての初期の液晶ディスプレイ符号値の集合をもつ画像信号を受領する段階１９１０と、前記画像信号の前記領域についての個々のバックライト・パワー・レベルを推定する段階１９１２と、前記領域の前記個々のバックライト・パワー・レベルに基づいて、組み合わされたバックライト・パワー・レベルを決定する段階１９１４と、前記領域の前記組み合わされたバックライト・パワー・レベルに基づいて透過率の少なくとも一つの変化を決定する段階１９１６と、決定された透過率の前記少なくとも一つの変化に基づいて初期の液晶ディスプレイ符号値の前記集合を補正する段階１９１８とを含む、方法を描いている。
【００８４】
図２０は、高輝度場における液晶ディスプレイ応答変動の補償のための方法であって、ある領域についての初期の液晶ディスプレイ符号値の集合をもつ画像信号を受領する段階２０１０と、前記領域についての個々のバックライト・パワー・レベルを推定する段階２０１２と、前記領域の前記個々のバックライト・パワー・レベルに基づいて、組み合わされたバックライト・パワー・レベルを決定する段階２０１４と、前記領域の前記組み合わされたバックライト・パワー・レベルおよび基準パワーに基づいて透過率の少なくとも一つのデルタ変化を決定する段階２０１６と、決定された透過率の前記少なくとも一つのデルタ変化に基づいて初期の液晶ディスプレイ符号値の前記集合を補正する段階２０１８とを含む、方法を描いている。
【００８５】
図２１は、高輝度場における液晶ディスプレイ応答変動の補償のための方法であって、画像信号を受領する段階２１１０と、前記画像信号のある領域についての複数の色を推定する段階２１１２と、前記領域についての複数のバックライト・パワー・レベルを推定する段階２１１４と、前記複数の色および前記複数のバックライト・パワー・レベルについて透過率を測定する段階２１１６と、測定された透過率をモデリングする段階２１１８とを含む、方法を描いている。
【００８６】
図２２は、高輝度場における液晶ディスプレイ応答変動を補償する装置であって、前記液晶ディスプレイのローカルなバックライト・アレイ２２１０に結合されたパワー測定デバイス２２１６と、前記パワー測定デバイスおよび前記液晶ディスプレイに結合された補償モジュール２２１８とを有しており、前記補償モジュールは、測定されたパワーに基づいて初期の液晶ディスプレイ符号値の集合を変調する、装置を描いている。
【００８７】
図２３は、高輝度場における液晶ディスプレイ応答変動を補償する装置であって、前記液晶ディスプレイのローカルなバックライト・アレイ２３１０に結合された反射光パワー測定デバイス２３１６と、前記反射光パワー測定デバイスおよび前記液晶ディスプレイに結合された補償モジュール２３１８とを有しており、前記補償モジュールは、反射された光パワーに基づいて初期の液晶ディスプレイ符号値の集合を変調する、装置を描いている。
【００８８】
本開示に記載される方法は、ハードウェア、ソフトウェア、ファームウェアまたはそれらの任意の組み合わせで実装されうる。ブロック、モジュールまたはコンポーネントとして記述される特徴は一緒に（たとえば集積論理デバイスのような論理デバイスとして）、あるいは別個に（たとえば別個の接続された複数の論理デバイスとして）実装されうる。本開示の方法のソフトウェア部分は、実行されたときに少なくとも部分的には記載される方法を実行する命令を有するコンピュータ可読媒体を有していてもよい。コンピュータ可読媒体は、たとえば、ランダムアクセスメモリ（RAM）および／または読み出し専用メモリ（ROM）であってもよい。前記命令は、プロセッサ（たとえばデジタル信号プロセッサ（DSP）、特定用途向け集積回路（ASIC）、フィールドプログラマブルゲートアレイ（FPGA）、グラフィック処理ユニット（GPU）または汎用GPU）によって実行されてもよい。
【００８９】
〈等価物、拡張、代替その他〉
輝度に基づくLCDガンマ補償に関する例示的実施形態についてこのように記載されている。以上の明細書では、本開示の実施形態について、実装によって変わりうる数多くの個別的詳細に言及しつつ述べてきた。このように、何が本発明であり、出願人によって本発明であると意図されているかの唯一にして排他的な指標は、この出願に対して付与される特許の請求項の、その後の訂正があればそれも含めてかかる請求項が特許された特定の形のものである。かかる請求項に含まれる用語について本稿で明示的に記載される定義があったとすればそれは請求項において使用される当該用語の意味を支配する。よって、請求項に明示的に記載されていない限定、要素、属性、特徴、利点もしくは特性は、いかなる仕方であれかかる請求項の範囲を限定すべきではない。よって、明細書および図面は制約する意味ではなく例示的な意味で見なされるべきものである。
【００９０】
本発明のさまざまな側面は、以下の付番実施例（EEE:  enumerated  example  embodiment）から理解されうる。
〔ＥＥＥ１〕
プロセッサによる高輝度場における液晶ディスプレイ応答変動の補償のための方法であって、当該方法は：
ある領域についての初期の液晶ディスプレイ符号値の集合をもつ画像信号を受領する段階と；
前記画像信号の前記領域についての個々のバックライト・パワー・レベルを推定する段階と；
前記領域の前記個々のバックライト・パワー・レベルに基づいて、組み合わされたバックライト・パワー・レベルを決定する段階と；
前記領域の前記組み合わされたバックライト・パワー・レベルに基づいて透過率の少なくとも一つの変化を決定する段階と；
決定された透過率の前記少なくとも一つの変化に基づいて初期の液晶ディスプレイ符号値の前記集合を補正する段階とを含む、
方法。
〔ＥＥＥ２〕
前記領域の個々のバックライト・パワー・レベルを推定する前記段階が、光場シミュレーションに基づく、ＥＥＥ１記載の方法。
〔ＥＥＥ３〕
前記領域の個々のバックライト・パワー・レベルを推定する前記段階が、赤、青および緑についての3かける3行列である、ＥＥＥ１または２記載の方法。
〔ＥＥＥ４〕
前記組み合わされたバックライト・パワー・レベルが赤、青および緑についてである、ＥＥＥ１ないし３のうちいずれか一項記載の方法。
〔ＥＥＥ５〕
透過率の前記少なくとも一つの変化が、基準パワー設定での測定された透過率の反転である、ＥＥＥ１ないし４のうちいずれか一項記載の方法。
〔ＥＥＥ６〕
初期の液晶ディスプレイ符号値の前記集合がルックアップテーブルに基づく、ＥＥＥ１ないし５のうちいずれか一項記載の方法。
〔ＥＥＥ７〕
初期の液晶ディスプレイ符号の前記補正された集合を量子化する段階をさらに含む、ＥＥＥ１ないし６のうちいずれか一項記載の方法。
〔ＥＥＥ８〕
透過率の少なくとも一つの変化を決定する前記段階が多項式に基づく、ＥＥＥ１ないし７のうちいずれか一項記載の方法。
〔ＥＥＥ９〕
プロセッサによる高輝度場における液晶ディスプレイ応答変動の補償のための方法であって、当該方法は：
ある領域についての初期の液晶ディスプレイ符号値の集合をもつ画像信号を受領する段階と；
前記領域についての個々のバックライト・パワー・レベルを推定する段階と；
前記領域の前記個々のバックライト・パワー・レベルに基づいて、組み合わされたバックライト・パワー・レベルを決定する段階と；
前記領域の前記組み合わされたバックライト・パワー・レベルおよび基準に基づいて透過率の少なくとも一つのデルタ変化を決定する段階と；
決定された透過率の前記少なくとも一つのデルタ変化に基づいて初期の液晶ディスプレイ符号値の前記集合を補正する段階とを含む、
方法。
〔ＥＥＥ１０〕
前記領域の個々のバックライト・パワー・レベルを推定する前記段階が、光場シミュレーションに基づく、ＥＥＥ９記載の方法。
〔ＥＥＥ１１〕
前記領域の個々のバックライト・パワー・レベルを推定する前記段階が、赤、青および緑についての3かける3行列である、ＥＥＥ９または１０記載の方法。
〔ＥＥＥ１２〕
前記組み合わされたバックライト・パワー・レベルが赤、青および緑についてである、ＥＥＥ９ないし１１のうちいずれか一項記載の方法。
〔ＥＥＥ１３〕
透過率の前記少なくとも一つの変化が、基準パワー設定での測定された透過率の反転である、ＥＥＥ９ないし１２のうちいずれか一項記載の方法。
〔ＥＥＥ１４〕
初期の液晶ディスプレイ符号値の前記集合がルックアップテーブルに基づく、ＥＥＥ９ないし１３のうちいずれか一項記載の方法。
〔ＥＥＥ１５〕
初期の液晶ディスプレイ符号の前記補正された集合を量子化する段階をさらに含む、ＥＥＥ９ないし１４のうちいずれか一項記載の方法。
〔ＥＥＥ１６〕
透過率の少なくとも一つの変化を決定する前記段階が多項式に基づく、ＥＥＥ９ないし１５のうちいずれか一項記載の方法。
〔ＥＥＥ１７〕
プロセッサによる高輝度場における液晶ディスプレイ応答変動の補償のための方法であって、当該方法は：
画像信号を受領する段階と；
前記画像信号のある領域についての複数の色を推定する段階と；
前記領域についての複数のバックライト・パワー・レベルを推定する段階と；
前記複数の色および前記複数のバックライト・パワー・レベルについて透過率を測定する段階と；
測定された透過率をモデル化する段階とを含む、
方法。
〔ＥＥＥ１８〕
前記モデル化された透過率に基づいてルックアップテーブルを生成する段階をさらに含む、ＥＥＥ１７記載の方法。
〔ＥＥＥ１９〕
前記モデル化された透過率に基づいて逆ルックアップテーブルを生成する段階をさらに含む、ＥＥＥ１７または１８記載の方法。
〔ＥＥＥ２０〕
高輝度場における液晶ディスプレイ応答変動を補償する装置であって：
前記液晶ディスプレイのローカルなバックライト・アレイに結合されたパワー測定デバイスと；
前記パワー測定デバイスおよび前記液晶ディスプレイに結合された補償モジュールとを有しており、
前記補償モジュールは、測定されたパワーに基づいて初期の液晶ディスプレイ符号値の集合を変調する、
装置。
〔ＥＥＥ２１〕
前記補償モジュールが、測定されたパワーに基づいて透過率の少なくとも一つの変化を推定する、ＥＥＥ２０記載の装置。
〔ＥＥＥ２２〕
高輝度場における液晶ディスプレイ応答変動を補償する装置であって：
前記液晶ディスプレイのローカルなバックライト・アレイに結合された反射光パワー測定デバイスと；
前記反射光パワー測定デバイスおよび前記液晶ディスプレイに結合された補償モジュールとを有しており、
前記補償モジュールは、反射された光パワーに基づいて初期の液晶ディスプレイ符号値の集合を変調する、
装置。
〔ＥＥＥ２３〕
前記補償モジュールが、測定された反射光パワーに基づいて透過率の少なくとも一つの変化を推定する、ＥＥＥ２２記載の装置。
【図１】
2019520601.tif 000014
【図２】
2019520601.tif 000015
【図３Ａ】
2019520601.tif 000016
【図３Ｂ】
2019520601.tif 000017
【図４Ａ】
2019520601.tif 000018
【図４Ｂ】
2019520601.tif 000019
【図５Ａ】
2019520601.tif 000020
【図５Ｂ】
2019520601.tif 000021
【図６Ａ】
2019520601.tif 000022
【図６Ｂ】
2019520601.tif 000023
【図７Ａ】
2019520601.tif 000024
【図７Ｂ】
2019520601.tif 000025
【図８Ａ】
2019520601.tif 000026
【図８Ｂ】
2019520601.tif 000027
【図９Ａ】
2019520601.tif 000028
【図９Ｂ】
2019520601.tif 000029
【図９Ｃ】
2019520601.tif 000030
【図１０Ａ】
2019520601.tif 000031
【図１０Ｂ】
2019520601.tif 000032
【図１０Ｃ】
2019520601.tif 000033
【図１１】
2019520601.tif 000034
【図１２】
2019520601.tif 000035
【図１３Ａ】
2019520601.tif 000036
【図１３Ｂ】
2019520601.tif 000037
【図１３Ｃ】
2019520601.tif 000038
【図１４Ａ】
2019520601.tif 000039
【図１４Ｂ】
2019520601.tif 000040
【図１４Ｃ】
2019520601.tif 000041
【図１５】
2019520601.tif 000042
【図１６】
2019520601.tif 000043
【図１７】
2019520601.tif 000044
【図１８】
2019520601.tif 000045
【図１９】
2019520601.tif 000046
【図２０】
2019520601.tif 000047
【図２１】
2019520601.tif 000048
【図２２】
2019520601.tif 000049
【図２３】
2019520601.tif 000050
【国際調査報告】
2019520601.tif 000051
2019520601.tif 000052